(57)【要約】    【課題】  レンズ構成が簡易でコンパクトでありながら高ズーム比で、全ズーム領域にわたり高い光学性能を達成したズームレンズを得ること。    【解決手段】  物体側より像側へ順に、正の屈折力の第１レンズ群、負の屈折力の第２レンズ群、正の屈折力の第３レンズ群、正の屈折力の第４レンズ群を有し、ズーミングに際し、該第１レンズ群は、広角端に比べ望遠端において物体側に位置し、広角端に比べ望遠端において、該第１レンズ群と第２レンズ群の間隔が大きく、該第２レンズ群と第３レンズ群の間隔が小さく、該第３レンズ群と第４レンズ群の間隔が大きくなるように各レンズ群が移動するズームレンズにおいて、該第１レンズ群は、負レンズと正レンズより成り、該第２レンズ群は、物体側から像側へ順に、負レンズ、正レンズより成り、該第３レンズ群は、３つの正レンズと１つの負レンズより成ることを特徴とすること。【選択図】  図１
2008233485.tif 000002
【特許請求の範囲】
【請求項１】
物体側より像側へ順に、正の屈折力の第１レンズ群、負の屈折力の第２レンズ群、正の屈折力の第３レンズ群、正の屈折力の第４レンズ群を有し、ズーミングに際し、該第１レンズ群は、広角端に比べ望遠端において物体側に位置し、広角端に比べ望遠端において、該第１レンズ群と第２レンズ群の間隔が大きく、該第２レンズ群と第３レンズ群の間隔が小さく、該第３レンズ群と第４レンズ群の間隔が大きくなるように各レンズ群が移動するズームレンズにおいて、該第１レンズ群は、負レンズと正レンズより成り、該第２レンズ群は、物体側から像側へ順に、負レンズ、正レンズより成り、該第３レンズ群は、３つの正レンズと１つの負レンズより成ることを特徴とするズームレンズ。
【請求項２】
前記第２レンズ群と前記第３レンズ群の光軸方向の長さを各々ＴＤ２、ＴＤ３とするとき、
０．９０  ＜  ＴＤ３／ＴＤ２  ＜  １．５０
なる条件を満足することを特徴とする請求項１に記載のズームレンズ。
【請求項３】
前記第２レンズ群の負レンズと正レンズとの空気間隔をｄ２１、望遠端における全系の焦点距離をｆｔとするとき、
０．０２  ＜  ｄ２１／ｆｔ  ＜  ０．０８
なる条件を満足することを特徴とする請求項１又は２に記載のズームレンズ。
【請求項４】
前記第２レンズ群の負レンズの物体側と像側の面の曲率半径を各々Ｒ３１、Ｒ３２、該第２レンズ群の正レンズの物体側の面の曲率半径をＲ４１とするとき、
０．７０＜（Ｒ３１＋Ｒ３２）／（Ｒ３１−Ｒ３２）＜１．２０
−７．０＜（Ｒ３２＋Ｒ４１）／（Ｒ３２−Ｒ４１）＜−３．５
なる条件を満足することを特徴とする請求項１から３のいずれか１項に記載のズームレンズ。
【請求項５】
前記第１レンズ群は、負レンズと正レンズの接合レンズより成ることを特徴とする請求項１から４のいずれか１項に記載のズームレンズ。
【請求項６】
前記第２レンズ群の負レンズは非球面形状の面を有し、
該第２レンズ群の正レンズは、物体側が凸面でメニスカス形状であることを特徴とする請求項１から５のいずれか１項に記載のズームレンズ。
【請求項７】
前記第３レンズ群は、物体側から像側へ順に、正レンズ、正レンズと負レンズを接合した接合レンズ、正レンズより成ることを特徴とする請求項１から６のいずれか１項に記載のズームレンズ。
【請求項８】
前記第３レンズ群は、物体側から像側へ順に、正レンズ、負レンズと正レンズを接合した接合レンズ、正レンズより成ることを特徴とする請求項１から６のいずれか１項に記載のズームレンズ。
【請求項９】
前記第４レンズ群は、単一の正レンズより成ることを特徴とする請求項１から８のいずれか１項に記載のズームレンズ。
【請求項１０】
固体撮像素子に像を形成することを特徴とする請求項１から９のいずれか１項に記載のズームレンズ。
【請求項１１】
請求項１から１０のいずれか１項に記載のズームレンズと、該ズームレンズによって形成された像を受光する固体撮像素子とを有することを特徴とする撮像装置。
【発明の詳細な説明】
【技術分野】
【０００１】
本発明はビデオカメラ、銀塩写真用カメラ、放送用カメラ、そしてデジタルスチルカメラ等に好適なズームレンズ及びそれを有する撮像装置に関する。
【背景技術】
【０００２】
近年、固体撮像素子を用いたビデオカメラ、デジタルスチルカメラ、放送用カメラ、そして銀塩フィルムを用いたスチルカメラ等の撮像装置においては、高機能化とともに装置全体の小型化がなされている。
【０００３】
そしてそれに伴って、これらに用いる撮影光学系は、レンズ全長が短くコンパクトでしかも高ズーム比のズームレンズであることが要求されている。
【０００４】
コンパクトで高ズーム比のズームレンズとして物体側より像側へ順に、正、負、正、正の屈折力のレンズ群より成り、各レンズ群を移動させてズーミングを行う４群ズームレンズが知られている（特許文献１〜３）。
【０００５】
又、このような４群ズームレンズにおいて、第２レンズ群を負レンズと正レンズで構成した４群ズームレンズが知られている（特許文献４、５）。
【特許文献１】特開平  ３−２９６７０６号公報
【特許文献２】特開２００３−３１５６７６号公報
【特許文献３】特開２００４−９４２３３号公報
【特許文献４】特開平１１−２７１６１６号公報
【特許文献５】特開２００２−１０７６２４号公報
【発明の開示】
【発明が解決しようとする課題】
【０００６】
近年、撮像装置のコンパクト化に伴ってズームレンズの小型化が強く要望されている。
【０００７】
特に撮像装置に用いるズームレンズでは、レンズ系全体が小型化で且つ所定のズーム比を有しつつ、全ズーム範囲にわたり良好なる光学性能を有していることが要望されている。
【０００８】
一般に、ズームレンズを構成する各レンズ群のレンズ枚数が多いと、各レンズ群の光軸上の長さが長くなる。
【０００９】
又、各レンズ群のズーミング及びフォーカシングにおける移動量が大きいとレンズ全長が長くなり、小型化が難しくなる。
【００１０】
ズームレンズの小型化及び高ズーム比化を図るには、ズーミングに伴う各レンズ群の移動条件や各レンズ群の屈折力、各レンズ群のレンズ構成等を適切に設定する必要がある。例えばズームレンズの小型化に関しては、各レンズ群の屈折力を強めればズーミングにおける各レンズ群の移動量が少なくなり、レンズ全長の短縮化が可能となる。しかし、各レンズ群の屈折力を単に強めるとズーミングに伴う収差変動が大きくなり、これを良好に補正するのが難しくなってくる。
【００１１】
つまり、小型化と、良好な光学性能とは背反する条件であり、これを両立することがズームレンズにとって重要な課題となっている。
【００１２】
本発明は、レンズ構成が簡易でコンパクトでありながら高ズーム比で、全ズーム領域にわたり高い光学性能を達成したズームレンズの提供を目的とする。
【課題を解決するための手段】
【００１３】
本発明のズームレンズは、
物体側より像側へ順に、正の屈折力の第１レンズ群、負の屈折力の第２レンズ群、正の屈折力の第３レンズ群、正の屈折力の第４レンズ群を有し、ズーミングに際し、該第１レンズ群は、広角端に比べ望遠端において物体側に位置し、広角端に比べ望遠端において、該第１レンズ群と第２レンズ群の間隔が大きく、該第２レンズ群と第３レンズ群の間隔が小さく、該第３レンズ群と第４レンズ群の間隔が大きくなるように各レンズ群が移動するズームレンズにおいて、該第１レンズ群は、負レンズと正レンズより成り、該第２レンズ群は、物体側から像側へ順に、負レンズ、正レンズより成り、該第３レンズ群は、３つの正レンズと１つの負レンズより成ることを特徴としている。
【発明の効果】
【００１４】
本発明によれば、レンズ構成が簡易でコンパクトでありながら高ズーム比で、全ズーム領域にわたり高い光学性能を達成したズームレンズが得られる。
【発明を実施するための最良の形態】
【００１５】
以下、本発明のズームレンズ及びそれを有する撮像装置の実施例について説明する。
【００１６】
本発明のズームレンズは、
物体側より像側へ順に、正の屈折力の第１レンズ群、負の屈折力の第２レンズ群、正の屈折力の第３レンズ群、正の屈折力の第４レンズ群を有している。
【００１７】
そしてズーミングに際し、第１レンズ群は、広角端に比べ望遠端において物体側に位置している。又、広角端に比べ望遠端において、第１レンズ群と第２レンズ群の間隔が大きく、第２レンズ群と第３レンズ群の間隔が小さく、第３レンズ群と第４レンズ群の間隔が大きくなるように各レンズ群が移動している。
【００１８】
図１（Ａ）、（Ｂ）、（Ｃ）は本発明の実施例１のズームレンズの広角端（短焦点距離端）、中間のズーム位置、望遠端（長焦点距離端）におけるレンズ断面図である。
【００１９】
図２（Ａ）、（Ｂ）、（Ｃ）は本発明の実施例１の広角端、中間のズーム位置、望遠端における縦収差図である。
【００２０】
図３（Ａ）、（Ｂ）、（Ｃ）は本発明の実施例２のズームレンズの広角端、中間のズーム位置、望遠端におけるレンズ断面図である。
【００２１】
図４（Ａ）、（Ｂ）、（Ｃ）は本発明の実施例２の広角端、中間のズーム位置、望遠端における縦収差図である。
【００２２】
図５（Ａ）、（Ｂ）、（Ｃ）は本発明の実施例３のズームレンズの広角端、中間のズーム位置、望遠端におけるレンズ断面図である。
【００２３】
図６（Ａ）、（Ｂ）、（Ｃ）は本発明の実施例３の広角端、中間のズーム位置、望遠端における縦収差図である。
【００２４】
図７（Ａ）、（Ｂ）、（Ｃ）は本発明の実施例４のズームレンズの広角端、中間のズーム位置、望遠端におけるレンズ断面図である。
【００２５】
図８（Ａ）、（Ｂ）、（Ｃ）は本発明の実施例４の広角端、中間のズーム位置、望遠端における縦収差図である。
【００２６】
図９は本発明のズームレンズを備える撮像装置の要部概略図である。
【００２７】
各実施例のズームレンズはデジタルスチルカメラや銀塩フィルムカメラ等の撮像装置に用いられる撮影レンズ系である。
【００２８】
レンズ断面図において、左方が物体側（前方）で、右方が像側（後方）である。
【００２９】
レンズ断面図において、Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は正の屈折力の第４レンズ群である。Ｇは光学フィルター、フェースプレート、水晶ローパスフィルター、赤外カットフィルター等に相当する光学ブロックである。
【００３０】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に相当する。
【００３１】
収差図において、ＦｎｏはＦナンバー、ｄ，ｇは各々ｄ線及びｇ線、ΔＭ、ΔＳはｄ線のメリディオナル像面、サジタル像面である。倍率色収差はｇ線によって表している。
【００３２】
尚、以下の各実施例において広角端と望遠端のズーム位置は、変倍用レンズ群（各実施例では、第３レンズ群Ｌ３）が機構上、光軸上を移動可能な範囲の両端に位置したときのズーム位置をいう。
【００３３】
各実施例では、広角端から望遠端へのズーミングに際して矢印のように、各レンズ群Ｌ１〜Ｌ４が移動している。
【００３４】
具体的には次のとおりである。
【００３５】
第１レンズ群Ｌ１は、物体側へ単調に移動又は、像側に凸状の軌跡で移動している。そして第１レンズ群Ｌ１は、広角端に比べて望遠端において、物体側に位置するように移動している。
【００３６】
第２レンズ群Ｌ２は、像側へ単調に移動又は像側へ凸状の軌跡で移動している。そして第２レンズ群Ｌ２は、広角端に比べて望遠端において、像側に位置するように移動している。第３レンズ群Ｌ３は物体側へ単調移動して主たる変倍を行っている。第４レンズ群Ｌ４は、物体側へ凸状の軌跡を描くように移動している。
【００３７】
又、各レンズ群は、広角端に比べて望遠端で、第１レンズ群Ｌ１と第２レンズ群Ｌ２の間隔が大きく、第２レンズ群Ｌ２と第３レンズ群Ｌ３の間隔が小さく、第３レンズ群Ｌ３と第４レンズ群Ｌ４の間隔が大きくなるように移動している。
【００３８】
また、全てのレンズ群を移動させてズーミング及び変倍に伴う像面変動の補正を行うことにより屈折力の効率的な分配を容易にしている。
【００３９】
更に、広角端にて光学全長が短くなるように構成して、例えばデジタルカメラ用として最適な高ズーム比で小型なズームレンズを構成している。
【００４０】
各実施例では、第４レンズ群Ｌ４を光軸上移動させてフォーカシングを行うリアフォーカス式を採用している。
【００４１】
望遠端において無限遠物体から近距離物体へフォーカスを行う場合には、矢印４ｃに示すように第４レンズ群を前方に繰り出す。第４レンズ群Ｌ４に関する実線の曲線４ａと点線の曲線４ｂは、各々無限遠物体と近距離物体にフォーカスしているときの広角端から望遠端へのズーミングに従う際の像面変動を補正するための、第４レンズ群Ｌ４の移動軌跡を示している。
【００４２】
各実施例では、軽量な第４レンズ群Ｌ４をフォーカスの為に移動することで迅速なフォーカスを容易にしている。
【００４３】
各レンズ群のレンズ構成の特徴は次のとおりである。
【００４４】
第１レンズ群Ｌ１は、負レンズと正レンズより成っている。
【００４５】
尚各実施例において、第１レンズ群Ｌ１は、負レンズと正レンズの全体としての物体側に凸状のメニスカス形状の接合レンズより成っている。第１レンズ群Ｌ１を負レンズと正レンズの２枚のレンズより構成することにより色収差の補正を容易としている。第２レンズ群Ｌ２は、物体側から像側へ順に、屈折力の絶対値が物体側に比べ像側に強い両レンズ面が凹面の負レンズ、物体側が凸面でメニスカス形状の正レンズの独立した２枚のレンズより成っている。
【００４６】
第２レンズ群Ｌ２の負レンズは、非球面形状の面を有している。具体的には両レンズ面が非球面形状である。
【００４７】
第３レンズ群Ｌ３は、３つの正レンズと１つの負レンズより成っている。
【００４８】
具体的には第３レンズ群Ｌ３は、物体側から像側へ順に、両レンズ面が凸形状の正レンズ、正レンズと負レンズを接合した接合レンズ、両レンズ面が凸形状の正レンズより成っている。
【００４９】
又は、第３レンズ群Ｌ３は、物体側から像側へ順に、両レンズ面が凸形状の正レンズ、負レンズと正レンズを接合した接合レンズ、両レンズ面が凸形状の正レンズより成っている。
【００５０】
第３レンズ群Ｌ３中の接合レンズは、物体側が凸面のメニスカス形状より成っている。第３レンズ群Ｌ３を変倍レンズ群とする構成により、広角端におけるレンズ全長を短縮化し、前玉径の小型化を図っている。
【００５１】
第３レンズ群は、両面が凸面の正レンズ、正レンズと負レンズを接合した接合レンズで構成されるものが多いが、高変倍化したとき中間域から望遠域でコマ収差が変動するため、中間域と望遠域の光学性能を両立させることが難しい。そこで、本発明では第３レンズ群において像側に更に正レンズを配置することにより、コマ収差の変動を良好に補正している。
【００５２】
第４レンズ群Ｌ４は、単一の物体側が凸面のメニスカス形状の正レンズより成っている。
【００５３】
以上のように、各レンズ群のレンズ構成、ズーミングにおける各レンズ群の移動方法を最適に設定することにより、レンズ枚数の削減を計り、レンズ全長の短縮化を達成している。更に６倍程度のズーム比を有しつつ、明るく、高い光学性能を有したズームレンズを達成している。
【００５４】
尚、各実施例のズームレンズにおいて、更に良好なる光学性能を得るためには、次の構成のうち１つ以上を満足するのが良い。これによれば各構成に相当する効果が得られる。
【００５５】
第２レンズ群Ｌ２と第３レンズ群Ｌ３の光軸方向の長さ（最も物体側の面から最も像側の面までの長さ）を各々ＴＤ２、ＴＤ３とする。
【００５６】
第２レンズ群Ｌ２の負レンズと正レンズの空気間隔をｄ２１、望遠端における全系の焦点距離をｆｔとする。
【００５７】
第２レンズ群Ｌ２の負レンズの物体側と像側の面の曲率半径を各々Ｒ３１、Ｒ３２、第２レンズ群Ｌ２の正レンズの物体側の面の曲率半径をＲ４１とする。このとき、
０．９０  ＜  ＴＤ３／ＴＤ２  ＜  １．５０    ・・・（１）
０．０２  ＜  ｄ２１／ｆｔ  ＜  ０．０８      ・・・（２）
０．７０  ＜（Ｒ３１＋Ｒ３２）／（Ｒ３１−Ｒ３２）＜１．２０      ・・・（３）
−７．０  ＜（Ｒ３２＋Ｒ４１）／（Ｒ３２−Ｒ４１）＜−３．５      ・・・（４）
なる条件のうち１以上を満足するのが良い。
【００５８】
次に各条件式の技術的意味について説明する。
【００５９】
条件式（１）は、第３レンズ群Ｌ３の軸上厚を第２レンズ群Ｌ２の軸上厚で規格化したものである。
【００６０】
条件式（１）の上限値を越えて、第３レンズ群Ｌ３の軸上厚が厚くなりすぎると、全系が大型化してくる。又、条件式（１）の上限値を越えて第２レンズ群Ｌ２の軸上厚が薄くなりすぎると、第２レンズ群Ｌ２中の負レンズと正レンズの空気間隔が狭くなりすぎてくる。更に、広角領域において周辺コマ収差の補正が困難になるので良くない。
【００６１】
条件式（１）の下限値を越えて第３レンズ群Ｌ３の軸上厚が薄くなりすぎると、所望のズーム比を確保した時に、中間のズーム領域より望遠側へのズーミング中、コマ収差の変動が大きくなって来るので良くない。又条件式（１）の下限値を越えて、第２レンズ群のＬ２軸上厚が厚くなりすぎると全系が大型化して来るので良くない。
【００６２】
条件式（２）は第２レンズ群Ｌ２を構成する負レンズと正レンズの２枚のレンズの空気間隔を望遠端の焦点距離で規格化したものである。
【００６３】
条件式（２）の上限値を超えて該空気間隔が大きくなり過ぎると前玉径、及びレンズ全長が大型化して来るので、良くない。
【００６４】
条件式（２）の下限値を超えて第２レンズ群Ｌ２中の空気間隔が小さくなり過ぎると広角域における画面周辺部のコマフレアーの補正が困難となってくるので良くない。
【００６５】
条件式（３）は第２レンズ群Ｌ２中の負レンズのシェープファクター（レンズ形状）に関するものである。又条件式（４）は、第２レンズ群Ｌ２中の負レンズと正レンズで形成される空気レンズのシェープファクターに関するものである。
【００６６】
条件式（３）又は条件式（４）の上限値、又は下限値を超えると、広角域における画面周辺部のコマフレアーを良好に補正する事が困難になってくるので良くない。
【００６７】
収差補正上、更に好ましくは、各条件式の数値範囲を以下の値とするのが更に良い。
【００６８】
１．１０  ＜  ＴＤ３／ＴＤ２  ＜  １．３０    ・・・（１ａ）
０．０４  ＜  ｄ２１／ｆｔ  ＜  ０．０６      ・・・（２ａ）
０．８０＜（Ｒ３１＋Ｒ３２）／（Ｒ３１−Ｒ３２）＜１．１０    ・・・（３ａ）
−５．５＜（Ｒ３２＋Ｒ４１）／（Ｒ３２−Ｒ４１）＜−３．６      ・・・（４ａ）
尚、第１レンズ群Ｌ１の物体側又は／及び第４レンズ群Ｌ４の像側にパワーの小さなレンズ群やコンバーターレンズ群を配置しても良い。
【００６９】
以上のように各実施例によれば、レンズ枚数の削減を計り、レンズ全長の短縮化を達成したにもかかわらず、高ズーム比（ズーム比４．７９〜５．７９）で、明るく、高い光学性能のズームレンズが得られる。
次に、本発明の数値実施例を示す。各数値実施例において、ｉは物体側から面の順序を示し、Ｒｉはｉ番目のレンズ面（第ｉ面）の曲率半径、Ｄｉは第ｉ面と第（ｉ＋１）面との間の間隔である。Ｎｉはｄ線に対しての屈折率、νｉはアッベ数である。  また、もっとも像側の２面は光学ブロックＧを構成する面である。
【００７０】
非球面形状は、光軸からの高さｈの位置での光軸方向の変位を、面頂点を基準にしてｘとするとき、
Ｘ＝（ｈ２／Ｒ）／［１＋｛１−（１＋ｋ）（ｈ／Ｒ）２｝１／２］＋
Ａｈ２＋Ｂｈ４＋Ｃｈ６＋Ｄｈ８  ＋Ｅｈ１０
で表される。
【００７１】
但し、ｋは円錐定数、Ａ，Ｂ，Ｃ，Ｄ，Ｅは２次、４次、６次、８次、１０次の非球面係数、Ｒは近軸曲率半径である。
【００７２】
又、「ｅ−０Ｘ」は「×１０−ｘ」を意味している。ｆは焦点距離、ＦｎｏはＦナンバー、ωは半画角を示す。
【００７３】
又、前述の各条件式と各数値実施例との関係を表１に示す。
数値実施例  1
ｆ＝  6.41〜  37.07  Ｆｎｏ＝ 3.28 〜 5.82  ２ω＝55.2 〜 10.3
R 1 =   24.477      D 1 =  0.80      N 1 = 1.846660      ν 1 = 23.9
R 2 =   15.408      D 2 =  3.20      N 2 = 1.772499      ν 2 = 49.6
R 3 =  141.379      D 3 =  可変
* R 4 =  -35.963      D 4 =  1.20      N 3 = 1.861530      ν 3 = 40.4
* R 5 =    5.430      D 5 =  1.94
R 6 =    9.695      D 6 =  1.70      N 4 = 1.922860      ν 4 = 18.9
R 7 =   22.330      D 7 =  可変
* R 8 =    8.511      D 8 =  1.70      N 5 = 1.743300      ν 5 = 49.3
R 9 =  -53.589      D 9 =  0.30
R10 =    5.867      D10 =  1.60      N 6 = 1.772499      ν 6 = 49.6
R11 = -518.881      D11 =  0.80      N 7 = 2.003300      ν 7 = 28.3
R12 =    4.287      D12 =  0.60
R13 =  249.186      D13 =  0.90      N 8 = 1.487490      ν 8 = 70.2
R14 =  -16.667      D14 =  可変
R15 =   10.733      D15 =  1.90      N 9 = 1.487490      ν 9 = 70.2
R16 =   84.754      D16 =  可変
R17 =    ∞         D17 =  1.00      N10 = 1.516330      ν10 = 64.1
R18 =    ∞ 
＼焦点距離     6.41    23.28    37.07
可変間隔＼
D 3             1.30    13.66     16.54
D 7            16.57     3.32      1.34
D14             7.17     9.72     16.63
D16             1.38     5.35      2.79
非球面係数
4面 : ｋ=0.00000e+00  Ａ=０  Ｂ=6.84473e-05  Ｃ=0.00000e+00  Ｄ=0.00000e+00
Ｅ=0.00000e+00
5面 : ｋ=-3.81470e+00  Ａ=０  Ｂ=2.45916e-03  Ｃ=-7.88235e-05  Ｄ=2.31663e-06
Ｅ=-2.96996e-08
8面 : ｋ=-3.74662e+00  Ａ=０  Ｂ=5.70559e-04  Ｃ=-5.19016e-06  Ｄ=-1.81078e-07
Ｅ=0.00000e+00
[               patex1 ]
[       pnpp6/f28st_c1 ]
【００７４】
数値実施例 2 
ｆ＝  6.40〜  37.06  Ｆｎｏ＝ 2.88 〜 4.96  ２ω＝55.3 〜 10.3
R 1 =   25.378      D 1 =  0.80      N 1 = 1.846660      ν 1 = 23.9
R 2 =   15.989      D 2 =  3.20      N 2 = 1.772499      ν 2 = 49.6
R 3 =  142.582      D 3 =  可変
* R 4 =  -37.455      D 4 =  1.20      N 3 = 1.861530      ν 3 = 40.4
* R 5 =    5.444      D 5 =  1.96
R 6 =    9.685      D 6 =  1.70      N 4 = 1.922860      ν 4 = 18.9
R 7 =   21.829      D 7 =  可変
* R 8 =    9.078      D 8 =  1.70      N 5 = 1.743300      ν 5 = 49.3
R 9 =  -58.282      D 9 =  0.30
R10 =    5.831      D10 =  1.80      N 6 = 1.772499      ν 6 = 49.6
R11 = -187.173      D11 =  0.80      N 7 = 2.003300      ν 7 = 28.3
R12 =    4.317      D12 =  0.60
R13 =   69.952      D13 =  0.90      N 8 = 1.487490      ν 8 = 70.2
R14 =  -17.214      D14 =  可変
R15 =   10.728      D15 =  1.90      N 9 = 1.487490      ν 9 = 70.2
R16 =   84.754      D16 =  可変
R17 =    ∞         D17 =  1.00      N10 = 1.516330      ν10 = 64.1
R18 =    ∞ 
＼焦点距離     6.40    22.97    37.06
可変間隔＼
D 3             1.30    14.31     17.96
D 7            16.48     3.22      1.36
D14             7.14     8.68     15.56
D16             1.38     6.15      3.46
非球面係数
4面 : ｋ=0.00000e+00  Ａ=０  Ｂ=6.21265e-05  Ｃ=0.00000e+00  Ｄ=0.00000e+00
Ｅ=0.00000e+00
5面 : ｋ=-3.79696e+00  Ａ=０  Ｂ=2.44413e-03  Ｃ=-7.86480e-05  Ｄ=2.32652e-06
Ｅ=-3.04572e-08
8面 : ｋ=-4.22665e+00  Ａ=０  Ｂ=5.56404e-04  Ｃ=-6.22257e-06  Ｄ=-8.84189e-08
Ｅ=0.00000e+00
[        pnpp6/fld19e8 ]
【００７５】
数値実施例  3
ｆ＝  6.45〜  37.06  Ｆｎｏ＝ 3.28 〜 6.16  ２ω＝54.9 〜 10.3
R 1 =   23.535      D 1 =  0.80      N 1 = 1.846660      ν 1 = 23.9
R 2 =   16.591      D 2 =  3.20      N 2 = 1.696797      ν 2 = 55.5
R 3 =  183.144      D 3 =  可変
* R 4 =  -44.856      D 4 =  1.20      N 3 = 1.861530      ν 3 = 40.4
* R 5 =    5.257      D 5 =  1.97
R 6 =    9.490      D 6 =  1.70      N 4 = 1.922860      ν 4 = 18.9
R 7 =   22.001      D 7 =  可変
* R 8 =    7.021      D 8 =  1.70      N 5 = 1.583126      ν 5 = 59.4
R 9 =  -27.806      D 9 =  0.30
R10 =    6.185      D10 =  1.60      N 6 = 1.804000      ν 6 = 46.6
R11 =  849.153      D11 =  0.80      N 7 = 2.003300      ν 7 = 28.3
R12 =    4.219      D12 =  0.60
R13 =   70.594      D13 =  0.90      N 8 = 1.834807      ν 8 = 42.7
R14 =  -40.719      D14 =  可変
R15 =   13.272      D15 =  1.90      N 9 = 1.603112      ν 9 = 60.6
R16 =  104.856      D16 =  可変
R17 =    ∞         D17 =  1.00      N10 = 1.516330      ν10 = 64.1
R18 =    ∞ 
＼焦点距離     6.45    23.24    37.06
可変間隔＼
D 3             1.30    13.08     16.44
D 7            16.61     2.64      1.33
D14             7.39     9.45     18.16
D16             1.38     6.81      3.09
非球面係数
4面 : ｋ=0.00000e+00  Ａ=０  Ｂ=7.09869e-05  Ｃ=0.00000e+00  Ｄ=0.00000e+00
Ｅ=0.00000e+00
5面 : ｋ=-3.73117e+00  Ａ=０  Ｂ=2.64796e-03  Ｃ=-8.53900e-05  Ｄ=2.57770e-06
Ｅ=-3.30329e-08
8面 : ｋ=-2.15322e+00  Ａ=０  Ｂ=4.08220e-04  Ｃ=8.10253e-07  Ｄ=-4.09290e-07
Ｅ=0.00000e+00
【００７６】
数値実施例  4
ｆ＝  6.45〜  37.06  Ｆｎｏ＝3.28 〜 5.64  ２ω＝54.9 〜 10.3
R 1 =   27.605      D 1 =  0.80      N 1 = 1.846660      ν 1 = 23.9
R 2 =   17.190      D 2 =  3.20      N 2 = 1.772499      ν 2 = 49.6
R 3 =  235.810      D 3 =  可変
* R 4 =  -37.253      D 4 =  1.20      N 3 = 1.861530      ν 3 = 40.4
* R 5 =    5.556      D 5 =  1.77
R 6 =    9.116      D 6 =  1.70      N 4 = 1.922860      ν 4 = 18.9
R 7 =   19.809      D 7 =  可変
* R 8 =    7.195      D 8 =  1.70      N 5 = 1.743300      ν 5 = 49.3
R 9 =   70.772      D 9 =  0.30
R10 =    6.227      D10 =  0.80      N 6 = 2.003300      ν 6 = 28.3
R11 =    2.960      D11 =  1.60      N 7 = 1.772499      ν 7 = 49.6
R12 =    4.930      D12 =  0.60
R13 =   60.030      D13 =  0.90      N 8 = 1.487490      ν 8 = 70.2
R14 =  -34.804      D14 =  可変
R15 =   10.300      D15 =  1.90      N 9 = 1.487490      ν 9 = 70.2
R16 =   84.754      D16 =  可変
R17 =    ∞         D17 =  1.00      N10 = 1.516330      ν10 = 64.1
R18 =    ∞ 
＼焦点距離     6.45    22.85    37.06
可変間隔＼
D 3             1.30    14.49     18.02
D 7            17.43     3.92      1.73
D14             7.71    10.26     16.77
D16             1.53     5.59      3.49
非球面係数
4面 : ｋ=0.00000e+00  Ａ=０  Ｂ=6.32871e-05  Ｃ=0.00000e+00  Ｄ=0.00000e+00
Ｅ=0.00000e+00
5面 : ｋ=-3.91008e+00  Ａ=０  Ｂ=2.46496e-03  Ｃ=-8.20622e-05  Ｄ=2.61043e-06
Ｅ=-3.60383e-08
8面 : ｋ=-4.12638e+00  Ａ=０  Ｂ=1.21333e-03  Ｃ=-2.51514e-05  Ｄ=5.69376e-07
Ｅ=0.00000e+00
【表１】
2008233485.tif 000003
【００７７】
次に実施例１〜４に示したようなズームレンズを撮影光学系として用いたデジタルスチルカメラ（撮像装置）の実施形態を図９を用いて説明する。
【００７８】
図９において、２０はカメラ本体、２１は実施例１〜６で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。
【００７９】
このように本発明のズームレンズをデジタルスチルカメラ等の撮像装置に適用することにより、小型で高い光学性能を有する撮像装置が実現できる。
【００８０】
尚、本発明のズームレンズは、一眼レフカメラやビデオカメラ等にも同様に適用することができる。
【図面の簡単な説明】
【００８１】
【図１】実施例１のズームレンズのレンズ断面図
【図２（Ａ）】実施例１のズームレンズの広角端における諸収差図
【図２（Ｂ）】実施例１のズームレンズの中間のズーム位置における諸収差図
【図２（Ｃ）】実施例１のズームレンズの望遠端における諸収差図
【図３】実施例２のズームレンズのレンズ断面図
【図４（Ａ）】実施例２のズームレンズの広角端における諸収差図
【図４（Ｂ）】実施例２のズームレンズの中間のズーム位置における諸収差図
【図４（Ｃ）】実施例２のズームレンズの望遠端における諸収差図
【図５】実施例３のズームレンズのレンズ断面図
【図６（Ａ）】実施例３のズームレンズの広角端における諸収差図
【図６（Ｂ）】実施例３のズームレンズの中間のズーム位置における諸収差図
【図６（Ｃ）】実施例３のズームレンズの望遠端における諸収差図
【図７】実施例４のズームレンズのレンズ断面図
【図８（Ａ）】実施例４のズームレンズの広角端における諸収差図
【図８（Ｂ）】実施例４のズームレンズの中間のズーム位置における諸収差図
【図８（Ｃ）】実施例４のズームレンズの望遠端における諸収差図
【図９】本発明の撮像装置の要部概略図
【符号の説明】
【００８２】
Ｌ１    第１レンズ群
Ｌ２    第２レンズ群
Ｌ３    第３レンズ群
Ｌ４    第４レンズ群
ＩＰ    像面
ｄ      ｄ線
ｇ      ｇ線
ΔＭ    ｄ線のメリディオナル像面
ΔＳ    ｄ線のサジタル像面
【図３】
2008233485.tif 000004
【図１】
2008233485.tif 000005
【図２（Ａ）】
2008233485.tif 000006
【図２（Ｂ）】
2008233485.tif 000007
【図２（Ｃ）】
2008233485.tif 000008
【図４（Ａ）】
2008233485.tif 000009
【図４（Ｂ）】
2008233485.tif 000010
【図４（Ｃ）】
2008233485.tif 000011
【図５】
2008233485.tif 000012
【図６（Ａ）】
2008233485.tif 000013
【図６（Ｂ）】
2008233485.tif 000014
【図６（Ｃ）】
2008233485.tif 000015
【図７】
2008233485.tif 000016
【図８（Ａ）】
2008233485.tif 000017
【図８（Ｂ）】
2008233485.tif 000018
【図８（Ｃ）】
2008233485.tif 000019
【図９】
2008233485.tif 000020